(57)【要約】【課題】  薬液成分及び／又は水分を毛髪に短時間で浸透させることにより、毛髪の損傷を抑制しつつ、柔軟且つ弾力性のある良好なウェーブを得ることのできる、新規なパーマネントウェーブ形成器具及びパーマネントウェーブ形成方法を提供すること。【解決手段】  パーマネントウェーブ形成用器具であって、電気的発熱手段が内蔵されたロッドと、該ロッドの外周面に巻回された含水性シートとを具備するパーマネントウェーブ形成器具、並びに該形成器具を用いたパーマネントウェーブ形成方法。【選択図】      図１
2005230350.tif 000002
【特許請求の範囲】
【請求項１】
パーマネントウェーブ形成用器具であって、電気的発熱手段が内蔵されたロッドと、該ロッドの外周面に巻回された含水性シートとを具備するパーマネントウェーブ形成器具。
【請求項２】
前記含水性シートは薬液及び／又は水を含ませた状態でパーマネントウェーブ形成に用いられることを特徴とする、請求項1に記載のパーマネントウェーブ形成器具。
【請求項３】
前記電気的発熱手段による発熱によって前記含水性シートに含まれる薬液及び／又は水を蒸気に変化させ、該蒸気が毛髪に浸透することを特徴とする、請求項２に記載のパーマネントウェーブ形成器具。
【請求項４】
前記含水性シートが着脱自在に取り付けられている、請求項１乃至３のいずれか１項に記載のパーマネントウェーブ形成器具。
【請求項５】
パーマネントウェーブ形成方法であって、薬液及び／又は水を含有する含水性シートが外周面に巻回されたロッドに毛髪を巻きつける工程と、前記ロッドに内蔵された電気的発熱手段による発熱でロッドを加熱し前記含水性シートに含有される薬液及び／又は水を蒸気とし毛髪に浸透させる工程と、を具備することを特徴とするパーマネントウェーブ形成方法。
【発明の詳細な説明】
【技術分野】
【０００１】
本発明は、蒸気発生機能を備えたパーマネントウェーブ形成器具及びパーマネントウェーブ形成方法に関わり、特に薬液を毛髪に素早く且つ簡便に浸透させることにより毛髪への負担を低減し、良好なウェーブを得ることを低コストで実現可能とする新規な蒸気発生機能付きパーマネントウェーブ形成器具及びこれを用いたパーマネントウェーブ形成方法に関するものである。
【背景技術】
【０００２】
従来、パーマネントウェーブ形成方法として、円筒状のロッドに巻き付けられた毛髪に赤外線促進機を用いて外部から熱をあてる方法が一般的に用いられている。かかる方法では、外部からロッドに巻き付けられた毛髪に熱をあてるので、毛髪の上部から熱があたることになり、しかも熱があたる範囲が狭いため、施術工程にかかる時間が長いうえ、ウェーブのかかり具合にムラが生じたり、保ちが悪くなる場合がある。このため、コストをかけずにウェーブのかかりを強くすべく、ｐＨの高いパーマネントウェーブ処理剤が用いられるなどしているが、かかるアルカリ度の高い処理剤は毛髪への負担が過大であり、毛髪の受ける損傷は大きい。パーマ処理を施す毛髪はヘアカラー、ブリーチなどの美容施術により既に損傷がある場合も多く、髪が更なる損傷を受けることを恐れてパーマネントウェーブ処理を施す人口が減ってきているのが現状である。
【０００３】
最近、新たなパーマネントウェーブ形成方法として、電気的発熱手段が内蔵されたパーマネントウェーブ用ロッドと、このロッドに給電して電気的発熱手段による発熱でロッドを加熱する給電器とからなるパーマネントウェーブ形成器具が開発され、この器具を用いたパーマネントウェーブ処理が普及しつつある。このロッドは、内蔵された電気的発熱手段の発熱によりロッド自体を加温することにより、短時間でしっかりとしたウェーブを形成することを目的として開発された。
【０００４】
しかしながら、このようなパーマネントウェーブ処理では、ロッドに巻かれた毛髪にロッドから直接的に熱が与えられることになるため、毛髪が熱により受ける損傷が大きいものとなる。一般に、ロッド表面温度が健康な毛髪では４０℃以上、ブリーチ毛やダメージ毛では３８℃以上のロッドに巻かれた状態が１０分以上続くと、毛髪中に含まれる結合水が不足することとなり、また毛髪中のタンパク成分にも変質を生ずる。また、パーマネントウェーブ用薬液の影響による損傷も受けやすくなる。その結果、毛髪の保湿性、柔軟性、毛髪表面の平滑性などが失われ、毛髪のぱさつき、枝毛、切れ毛を発生させ毛髪の艶が失われるなど、毛髪の物性や感触の低下の点で毛髪に良好なパーマネントウェーブが得られないという問題があった。更に、ロッド表面温度が高温となることにより、パーマネントウェーブ用薬液から水分が除去され薬液濃度が過剰に高まる結果、薬液が毛髪にとって危険なレベルに達する程に刺激性の強いものとなり、また薬液の酸化も促進されるという問題点もあった。
【発明の開示】
【発明が解決しようとする課題】
【０００５】
本発明は、かかる問題点に鑑み開発されたものであり、毛髪の損傷を抑制しつつ柔軟且つ弾力性のある良好なウェーブを得ることを低コストで実現可能なパーマネントウェーブ形成器具及びパーマネントウェーブ形成方法を提供することを目的とする。
【課題を解決するための手段】
【０００６】
前記課題を解決すべく本発明者が鋭意検討した結果、パーマネントウェーブ用薬液及び／又は水を含有させたシートを電気的発熱手段が内蔵されたロッド（以下、単に「電気ロッド」とも称する。）に巻回し、これを用いてパーマネントウェーブ処理を施した場合、シートに含有される薬液等の液体成分が蒸気となり極めて短時間で毛髪に浸透することを見出し、本発明を完成するに至った。
【０００７】
すなわち、本発明により、パーマネントウェーブ形成用器具であって、電気的発熱手段が内蔵されたロッドと、該ロッドの外周面に巻回された含水性シートとを具備するパーマネントウェーブ形成器具が提供される。
【０００８】
このパーマネントウェーブ形成器具は、含水性シートに薬液及び／又は水を含ませた状態でパーマネントウェーブの形成に用いられることを特徴とする。
【０００９】
この含水性シートに含まれる薬液及び／又は水が電気的発熱手段による発熱によって水蒸気となり、該水蒸気が毛髪に浸透することを特徴とする。
【００１０】
本発明により提供されるパーマネントウェーブ形成器具は、含水性シートが着脱自在にロッドに取り付けられていることが好ましい。
【００１１】
また、本発明により、パーマネントウェーブ形成方法であって、薬液及び／又は水を含有する含水性シートが外周面に巻回されたロッドに毛髪を巻きつける工程と、前記ロッドに内蔵された電気発熱手段による発熱でロッドを加熱し前記含水性シートに含有される水を水蒸気とし毛髪に浸透させる工程と、を具備することを特徴とするパーマネントウェーブ形成方法が提供される。
【００１２】
なお、本発明において「パーマネントウェーブ用薬液」又は「薬液」とは、システィン、チオグリコール酸、亜硫酸ナトリウム、システアミンＨＣＬ等、パーマネントウェーブを形成するために通常使用される成分を含有するパーマネントウェーブ用薬液をいい、毛髪を保護するために使用されるタンパク成分を含有するものも含む。
【発明の効果】
【００１３】
本発明によれば、ｐＨの低いパーマ用薬液成分を毛髪に素早く且つ容易に浸透させることができるため、施術時間の短縮を図りつつ、毛髪への負担が少なくパーマ処理後の毛髪コンディションが良好で、なお且つウェーブ形成にも優れたパーマネントウェーブ処理が可能となった。本発明は、ヘアカラー、ブリーチ、縮毛矯正や従来のパーマなどの美容施術により既に損傷を有する毛髪に対して有効であることは勿論のこと、健康毛で毛が太い、多い、等によりウェーブ形成がされにくい毛髪に対しても優れた効果を奏する。
【発明を実施するための最良の形態】
【００１４】
以下、本発明を図面を参照しながら詳細に説明する。図１は本発明に係るパーマネントウェーブ形成器具の一態様を示す斜視図であり、電気的発熱手段（図示せず）が内蔵されたロッド１２と、該ロッド１２の外周面に巻回された含水性シート１１を具備する。本発明に係るパーマネントウェーブ形成器具は、パーマネントウェーブの施術時に含水性シートにパーマネントウェーブ用薬液及び／又は水を含ませた状態で使用するものであり、含水性シート１１としては、適度の保水力を有し、加熱によりパーマネントウェーブ用薬液及び／又は水分等の液体成分を蒸発させ得るものであって、ロッドの外周面に巻回可能なものであれば、綿、スポンジなど特に制限無く用いることができる。また、含水性シートの形状、寸法および厚さは、パーマネントウェーブを施す毛髪の長さや量、ロッドの太さ等に合わせて適宜決定することができ、ロッドの形状についても円筒状、平面状等、所望とするウェーブに応じて適宜決定することができる。
【００１５】
本発明に係るパーマネントウェーブ形成器具１０は、この含水性シート１１を電気ロッド１２に巻回させてなり、シートの巻回の程度はロッドに対して一重でもよいし、二重以上させてもよい。ロッドへのシートの取付け手段は適宜選択することができ、好ましくは両面粘着テープ等により着脱自在となるようロッドに取り付けられる。図２及び図３は、着脱自在となるようなロッドへの含水性シートの取付け工程を例示した説明図であり、図２に示すように一端に両面粘着テープ２４を具備する含水性シート２１をロッド２３に巻回させて取り付けてもよいし、図３に示すように予め筒状に形成された含水性シート３１をロッド３３にはめるようにして取り付けてもよい。
【００１６】
本発明では、この含水性シートに薬液を含ませた状態で使用し、従来のようにロッドに巻き付けられた毛髪に薬液を塗布する必要はないため、液だれの問題は生じることがなく、その一方で、施術中に薬液を毛髪に塗布する工程を含む場合には、塗布された薬液の一部は含水性シートに一旦吸収された後、以下に詳述するように蒸気化され毛髪に浸透することとなる。また、薬液成分が蒸気化されることにより均一に毛髪に浸透するため、薬液の塗りむらの問題も生じることなく薬液成分を毛髪に均一に行き渡らせることができる。
【００１７】
本発明に係るパーマネントウェーブ形成器具１０を用いたパーマネントウェーブ処理は、含水性シート１１に含まれる薬液及び／又は水を、ロッド１２に内蔵された電気的発熱手段による発熱で蒸気に変化させることを特徴とするものであり、ロッドに巻回されたシートに含まれる薬液、水が蒸気化されることにより、薬液成分及び／又は水分が均一且つ短時間で毛髪に浸透する。その結果、薬液の空気酸化が進行しないうちに施術を終えることができるため、パーマネントウェーブ用薬液としてｐＨが６〜８程度のものを用いることができ、毛髪の損傷が少なく、乾いても広がらない柔軟且つ弾力性のある、しっかりしたウェーブ形成が可能となる。なお、スチーム発生機能を備えたヘアー用装置としてスチームアイロン及びスチームブラシが市場に流通しているが、これらは水分を補給しながら熱により毛髪をセットすることを目的とするものであり、薬液成分を毛髪に素早く浸透させることを目的として薬液成分を蒸気化させる蒸気発生機能を備えた本発明とは本質的に異なる。また、スチームアイロン及びスチームブラシは設けられた穴からスチームが発生するものであり毛髪全体に均一にスチームが行き渡りにくいのに対し、含水性シート全面から均一に蒸気を発生させる本発明は、蒸気の発生態様においても優れている。
【００１８】
図４に本発明のパーマネントウェーブ形成器具４０が給電器５０に接続された状態の一態様を示す。ロッド４２への給電は、コネクター４３を介して電線５１により接続された給電器５０によりなされ、ここで電気的発熱手段（図示せず）による発熱状態を制御し電気ロッド４２の表面温度調整がなされる。なお、電気的発熱手段は特に限定されるものではない。毛髪に対してパーマネントウェーブ用の薬液が最も効率よく作用するのは、毛髪の温度が人間の体温と同程度の３６℃前後であるため、本発明のパーマネントウェーブ形成器具を用いたパーマネントウェーブ処理においては、毛髪温度がその程度の温度（例えば３６℃程度を目安とする。）となるよう電気ロッドの表面温度を調整することが好ましい。本発明のパーマネントウェーブ処理においては、発生した水蒸気が施術中に毛髪に素早く浸透するため、施術時における加温により毛髪中から失われる水分を補給することとなり、電気ロッドの表面温度が４５℃以上になった場合における毛髪中に含まれる水分不足やタンパク成分の変質の問題を解消することができ、薬液が最も効率的に作用する温度での施術が可能となる。その結果、蒸気化による毛髪への薬液、水分の浸透性向上と相俟って、ｐＨの低い薬液を用いた効果的なパーマネントウェーブ処理が可能となった。
【００１９】
更に、発生する水蒸気は毛髪への水分補給のみならず、パーマネントウェーブ用薬液の浸透を促進するとともに、薬液に含有されるモノエタノールアミン等の膨潤成分としても作用するため、アルカリ剤や還元剤（チオグリコール酸、システィン等）含有量の低いｐＨ６〜８程度のパーマネントウェーブ用薬液を用い、３５〜４０℃程度の低温スチームにおいて、しかも短時間（例えば、５〜１０分程度の加温時間）で良好なパーマネントウェーブを形成することができる。
【００２０】
パーマネントウェーブ用薬液に含有されるアルカリ剤及び還元剤（チオグリコール酸等）の使用を抑制することができることによる影響は、毛髪や頭皮にとって好ましいだけでなく、安全面に関しても極めて好ましい。これまでにも毛髪に優しいパーマネントウェーブ用薬液としてｐＨが６〜８程度で、チオグリコール酸等の強いアルカリ剤や還元剤を使用しないものが市場に出されているものの、いずれも、ウェーブ形成・もちが悪い、浸透性が低いため空気酸化されやすい、ロッドの使用本数や薬液の使用量が多くなる、等の理由によりあまり普及しなかったのが実情であるが、本発明によればこのような毛髪に優しい薬液を有効に使用することが可能となる。
【００２１】
（実施例）
以下、本発明を実施例により詳細に説明するが、本発明の技術的範囲がこれらに限定されるものではない。
【００２２】
（実施例１）
以下に示す共通の条件において、本発明のパーマネントウェーブ形成方法と本発明以外のパーマネントウェーブ形成方法を用いた場合において得られたウェーブ状態について比較検討した。
【００２３】
［共通条件］
・薬液      ：システィン剤（システィン６質量％、ｐＨ７．５）
・ロッド    ：直径２２ｍｍ
・施術時間  ：１０分
・スライス幅：少し厚め
・毛髪      ：健康毛
［本発明例１］
前記薬液を含浸させた布製シートを一重に巻回した電気ロッドを用い、該電気ロッドの表面温度を３８℃にしてパーマネントウェーブ形成を行った。アルカリ度の低い薬液（ｐＨ７．５）を用いた上、太めのロッドを使用したにも拘わらず、しっかりしたウェーブが得られた。システィンは分子量が約１２１と大きいため、通常毛髪への浸透性が低いのであるが、本発明により蒸気化されたことによって低分子化され、毛髪への浸透性が高まったものと推測される。本発明によれば、ｐＨ８未満の低アルカリ性薬液を用いてしっかりしたウェーブ形成が可能であることが明らかとなった。
【００２４】
［比較例１］
含水性シートの巻回されていない通常の電気ロッドを用い、該電気ロッドの表面温度を３８℃に設定し、巻き付けられた毛髪に前記薬液を塗布することによりパーマネントウェーブ形成を行った。得られたウェーブはゆるすぎるものであった。
【００２５】
［比較例２］
電気的発熱手段を有しないロッドを使用し、毛髪温度が４０℃になるよう赤外線促進機を用いて毛髪に前記薬液を塗布することによりパーマネントウェーブ形成を行った。得られたウェーブはゆるすぎるものであった。
【００２６】
（実施例２）
本発明例２として、実施例１で用いたシスティン剤に替え、サルファイトを主成分として含有するサルファイト剤を用いた以外は実施例１に示す本発明例１と同様の条件においてパーマネントウェーブ形成を行った。得られたウェーブはシスティン剤を用いた本発明例１と同程度にしっかりしたものあり、毛髪の状態も良好であった。
【００２７】
サルファイト剤は加熱されることによりパーマネントウェーブ用薬液としての機能を発揮するものであるが、ウェーブ形成力が比較的弱く、また加えられる熱により毛髪の水分が奪われ施術後の毛髪がパサパサしてしまうという問題点を有する薬液であったが、本発明では、熱が加えられると同時に蒸気化された状態で毛髪への薬液成分と水分浸透が行われるため、サルファイト剤を用いてのパーマネントウェーブ形成においても毛髪の損傷を抑制しつつ良好なウェーブ形成が行えることが明らかとなった。
【図面の簡単な説明】
【００２８】
【図１】本発明に係るパーマネントウェーブ形成器具の一態様を示す斜視図。
【図２】含水性シートのロッドへの取付け工程の一態様を示す説明図。
【図３】含水性シートのロッドへの取付け工程の他の態様を示す説明図。
【図４】本発明のパーマネントウェーブ形成器具が電源装置に接続された状態を示す説明図。
【符号の説明】
【００２９】
１０、２０、３０、４０・・・パーマネントウェーブ形成器具、１１、２１、３１、４１・・・含水性シート、１２、２２、３２、４２・・・ロッド、１３、２３、３３、４３・・・コネクター、２４・・・両面粘着テープ、５０・・・給電器、５１・・・電線
【図１】
2005230350.tif 000003
【図２】
2005230350.tif 000004
【図３】
2005230350.tif 000005
【図４】
2005230350.tif 000006